(57)【要約】【課題】    本発明の目的は、液体容器内への水の供給が容易な如雨露キャップを提供するものである。【解決手段】    如雨露キャップＣは、液体容器１のネジ口に螺合する雌ネジ２ａを有する筒体２と、複数の孔３ａを有し、筒体２の開口部を開閉自在に覆う覆い体３と、筒体２に接続され、筒体２の外部と内部を連通する通路４と、この通路４の筒体２の内部に臨む開口部に接続された長手方向に長い空気取り入れ通路５とを備えているものである。【選択図】図１
2016077260.tif 000002
【特許請求の範囲】
【請求項１】
液体容器のネジ口に螺合する雌ネジを有する筒体と、
複数の孔を有し、前記筒体の開口部を開閉自在に覆う覆い体と、
前記筒体に接続され、前記筒体の外部と内部を連通する通路と、
この通路の前記筒体の内部に臨む開口部に接続された長手方向に長い空気取り入れ通路とを備えていることを特徴とする如雨露キャップ。
【請求項２】
液体容器のネジ口に螺合する雌ネジを有する筒体と、
複数の孔を有し、前記筒体の開口部を開閉自在に覆う覆い体と、
この覆い体に接続され、前記覆い体の外部と内部を連通する通路と、
この通路の前記覆い体の内部に臨む開口部に接続された長手方向に長い空気取り入れ通路とを備えていることを特徴とする如雨露キャップ。
【請求項３】
液体容器のネジ口に螺合する雌ネジを有する筒体と、
複数の孔を有し、前記筒体の開口部を開閉自在に覆う覆い体と、
この覆い体に接続され、前記覆い体の外部と内部を連通する通路と、
前記筒体の内方に位置し、先端と後端とに連通する中間通路と、
この中間通路の後端に接続され、長手方向に長い空気取り入れ通路とを備え、
前記覆い体により、前記筒体の開口部を閉じた時、前記通路の後端と前記中間通路の先端とが連通することを特徴とする如雨露キャップ。
【請求項４】
筒体の内壁が外方に向かって広がるように傾斜した傾斜壁に形成されていることを特徴とする請求項１〜請求項３のいずれか１項に記載の如雨露キャップ。
【発明の詳細な説明】
【技術分野】
【０００１】
本発明は、如雨露キャップに係り、特に、液体容器内への水の供給が容易な如雨露キャップに関する。
【背景技術】
【０００２】
従来、例えば、ペットボトル等の液体容器に如雨露キャップを装着して如雨露として利用している（特許文献１参照）が、液体容器を逆さにして使用するため、液体容器内の水が減ると、液体容器の底部側に空間が生じ、前記空間と外気とが連通しないため、如雨露キャップからの散水がうまくゆかず、液体容器を押圧しなければならず、作業に支障をきたしていた。
これを改善するものとして、液体容器の底部近傍に空気を取り入れるための空気取り入れ手段を設けた如雨露口がある（特許文献２参照）。
【先行技術文献】
【特許文献】
【０００３】
【特許文献１】実用新案登録第３０２２８８６号公報
【特許文献２】実用新案登録第３０３３８２７号公報
【発明の概要】
【発明が解決しようとする課題】
【０００４】
しかしながら、上述の特許文献２記載のものにあっては、如雨露口を液体容器から取り外さなければ、液体容器内への水の供給ができないという問題点が生じた。
【０００５】
本発明は、前記問題点を考慮してなされたもので、液体容器内への水の供給が容易な如雨露キャップを提供することを目的とする。
【課題を解決するための手段】
【０００６】
請求項１記載の如雨露キャップは、液体容器のネジ口に螺合する雌ネジを有する筒体と、複数の孔を有し、前記筒体の開口部を開閉自在に覆う覆い体と、前記筒体に接続され、前記筒体の外部と内部を連通する通路と、この通路の前記筒体の内部に臨む開口部に接続された長手方向に長い空気取り入れ通路とを備えているものである。
【０００７】
また、請求項２記載の如雨露キャップは、液体容器のネジ口に螺合する雌ネジを有する筒体と、複数の孔を有し、前記筒体の開口部を開閉自在に覆う覆い体と、この覆い体に接続され、前記覆い体の外部と内部を連通する通路と、この通路の前記覆い体の内部に臨む開口部に接続された長手方向に長い空気取り入れ通路とを備えているものである。
【０００８】
また、請求項３記載の如雨露キャップは、液体容器のネジ口に螺合する雌ネジを有する筒体と、複数の孔を有し、前記筒体の開口部を開閉自在に覆う覆い体と、この覆い体に接続され、前記覆い体の外部と内部を連通する通路と、前記筒体の内方に位置し、先端と後端とに連通する中間通路と、この中間通路の後端に接続され、長手方向に長い空気取り入れ通路とを備え、前記覆い体により、前記筒体の開口部を閉じた時、前記通路の後端と前記中間通路の先端とが連通するものである。
【０００９】
また、請求項４記載の如雨露キャップは、請求項１〜請求項３のいずれか１項に記載の如雨露キャップにおいて、筒体の内壁が外方に向かって広がるように傾斜した傾斜壁に形成されているものである。
【発明の効果】
【００１０】
請求項１記載の如雨露キャップによれば、液体容器の底部近傍に空気を導入することができる如雨露キャップにあって、覆い体は、筒体の開口部を開閉自在に覆うため、覆い体により筒体の開口部を開ければ、つまり、液体容器に如雨露キャップをつけたまま、液体容器に水を供給することができる。
【００１１】
また、請求項２記載の如雨露キャップによれば、液体容器の底部近傍に空気を導入することができる如雨露キャップにあって、覆い体は、筒体の開口部を開閉自在に覆うため、覆い体により筒体の開口部を開ければ、つまり、液体容器に如雨露キャップをつけたまま、液体容器に水を供給することができる。
【００１２】
また、請求項３記載の如雨露キャップによれば、液体容器の底部近傍に空気を導入することができる如雨露キャップにあって、覆い体は、筒体の開口部を開閉自在に覆うため、覆い体により筒体の開口部を開ければ、つまり、液体容器に如雨露キャップをつけたまま、液体容器に水を供給することができる。
【００１３】
また、請求項４記載の如雨露キャップによれば、上述した請求項１〜請求項３記載の発明の効果に加え、筒体の内壁が外方に向かって広がるように傾斜した傾斜壁に形成されているため、水の供給口を広く取れ、液体容器内への水の供給を容易に行うことができる。
【図面の簡単な説明】
【００１４】
【図１】図１は、本発明の一実施例の如雨露キャップを液体容器に装着した状態の概略斜視図である。
【図２】図２は、図１の如雨露キャップを液体容器に装着した状態の概略正面図である。
【図３】図３は、図２のＡ−Ａ線による概略断面図である。
【図４】図４は、図１の如雨露キャップの使用状態の概略図である。
【図５】図５は、図１の如雨露キャップと異なる他の実施例の如雨露キャップを液体容器に装着した状態の概略断面図である。
【図６】図６は、図５の如雨露キャップと異なる他の実施例の如雨露キャップを液体容器に装着し、覆い体を開状態とした概略断面図である。
【図７】図７は、図６の覆い体を閉状態とした概略断面図である。
【実施例】
【００１５】
本発明の一実施例の如雨露キャップを図面（図１乃至図４）を参照して説明する。
図１に示すＣは如雨露キャップで、如雨露キャップＣは、液体容器（例えば、ペットボトル）１のネジ口に螺合する雌ネジ２ａを有する筒体２と、複数の孔３ａを有し、筒体２の開口部を開閉自在に覆う覆い体３と、筒体２に接続され、筒体２の外部と内部を連通する通路４と、この通路４の筒体２の内部に臨む開口部に接続された長手方向に長い空気取り入れ通路（例えば、チューブ）５とを備えている。
そして、筒体２の内壁が外方に向かって広がるように傾斜した傾斜壁２Ａに形成され、水の供給口を広く取れ、液体容器１内への水の供給を容易に行うことができるようになっている。
【００１６】
上述した如雨露キャップＣによれば、図４に示すように、液体容器１を逆さにして使用し、液体容器１内の水が減ると、液体容器１の底部側に空間６が生じ、空間６と外気とが空気取り入れ通路５を介して連通し、如雨露キャップＣからの散水に支障を生じない。
また、液体容器１内の水がなくなった場合、液体容器１の底部近傍に空気を導入することができる如雨露キャップＣにあって、覆い体３は、筒体２の開口部を開閉自在に覆うため、覆い体３により筒体２の開口部を開ければ、つまり、液体容器１に如雨露キャップＣをつけたまま、液体容器１に水を供給することができるようになっている。
【００１７】
次に、上述した図１乃至図４記載の如雨露キャップＣと異なる実施例の如雨露キャップＣを図５を参照して説明する。
如雨露キャップＣは、液体容器（例えば、ペットボトル）１のネジ口に螺合する雌ネジ２ａを有する筒体２と、複数の孔３ａを有し、筒体２の開口部を開閉自在に覆う覆い体３と、この覆い体３に接続され、覆い体３の外部と内部を連通する通路３Ａと、この通路３Ａの覆い体３の内部に臨む開口部に接続された長手方向に長い空気取り入れ通路（例えば、チューブ）５とを備えている。
そして、筒体２の内壁が外方に向かって広がるように傾斜した傾斜壁２Ａに形成され、水の供給口を広く取れ、液体容器１内への水の供給を容易に行うことができるようになっている。
【００１８】
上述した如雨露キャップＣによれば、図４に記載されたものと同様、液体容器１を逆さにして使用し、液体容器１内の水が減ると、液体容器１の底部側に空間が生じ、前記空間と外気とが空気取り入れ通路５を介して連通し、如雨露キャップＣからの散水に支障を生じない。
また、液体容器１内の水がなくなった場合、液体容器１の底部近傍に空気を導入することができる如雨露キャップＣにあって、覆い体３は、筒体２の開口部を開閉自在に覆うため、覆い体３により筒体２の開口部を開ければ、つまり、液体容器１に如雨露キャップＣをつけたまま、液体容器１に水を供給することができるようになっている。
【００１９】
次に、上述した図５記載の如雨露キャップＣと異なる実施例の如雨露キャップＣを図６及び図７を参照して説明する。
如雨露キャップＣは、液体容器（例えば、ペットボトル）１のネジ口に螺合する雌ネジ２ａを有する筒体２と、複数の孔３ａを有し、筒体２の開口部を開閉自在に覆う覆い体３と、この覆い体３に接続され、覆い体３の外部と内部を連通する通路３Ａと、筒体２の内方に位置し、先端６Ａと後端６Ｂとに連通する中間通路６と、この中間通路６の後端６Ｂに接続され、長手方向に長い空気取り入れ通路（例えば、チューブ）５とを備えている。
なお、中間通路６は、筒体２に設けられた放射状のリブ６Ｒと一体的に形成されている。
そして、覆い体３により、筒体２の開口部を閉じた時、通路３Ａの後端３Ａ１と中間通路６の先端６Ａとが連通する。また、筒体２の内壁が外方に向かって広がるように傾斜した傾斜壁２Ａに形成され、水の供給口を広く取れ、液体容器１内への水の供給を容易に行うことができるようになっている。
【００２０】
上述した如雨露キャップＣによれば、図４に記載されたものと同様、液体容器１を逆さにして使用し、液体容器１内の水が減ると、液体容器１の底部側に空間が生じ、前記空間と外気とが空気取り入れ通路５を介して連通し、如雨露キャップＣからの散水に支障を生じない。
また、液体容器１内の水がなくなった場合、液体容器１の底部近傍に空気を導入することができる如雨露キャップＣにあって、覆い体３は、筒体２の開口部を開閉自在に覆うため、覆い体３により筒体２の開口部を開ければ、つまり、液体容器１に如雨露キャップＣをつけたまま、隣接するリブ６Ｒの隙間を介して液体容器１に水を供給することができるようになっている。
【符号の説明】
【００２１】
Ｃ      如雨露キャップ
１      液体容器
２      筒体
２ａ    雌ネジ
３      覆い体
３ａ    孔
４      通路
５      空気取り入れ通路
【図１】
2016077260.tif 000003
【図２】
2016077260.tif 000004
【図３】
2016077260.tif 000005
【図４】
2016077260.tif 000006
【図５】
2016077260.tif 000007
【図６】
2016077260.tif 000008
【図７】
2016077260.tif 000009